(57)【要約】【課題】防草性能と機械的強度に優れ、かつ製造が容易な防草シートとその製造方法を提供する。【解決手段】樹脂シート３と該樹脂シート３に接着された不織布シート２からなり、前記不織布シート２には、繊維を接着剤を用いないで機械的にからみ合わせて形成された非圧着型不織布を用い、かつ、前記樹脂シート３には所望の分布密度で分布した貫通穴３ａが設けられている防草シート１であって、溶融した樹脂素材を成形した固化前の樹脂シート３に、前記不織布シート２を圧着して両者を接着し、次いで前記接着した樹脂シート３にのみ機械的に貫通穴３ａを設けて防草シート１を製造する。【選択図】        図１
2004166620.tif 000002
【特許請求の範囲】
【請求項１】
樹脂シートと該樹脂シートに接着された不織布シートからなり、前記不織布シートには、繊維を接着剤を用いないで機械的にからみ合わせて形成された非圧着型不織布を用い、かつ、前記樹脂シートには所望の分布密度で分布した貫通穴が設けられていることを特徴とする防草シート。
【請求項２】
溶融した樹脂素材を成形した固化前の樹脂シートに、繊維を接着剤を用いないで機械的にからみ合わせて形成された非圧着型不織布からなる不織布シートを圧着して両者を接着し、次いで前記接着した樹脂シートに機械的に貫通穴を設けて防草シートとすることを特徴とする防草シートの製造方法。
【発明の詳細な説明】
【０００１】
【発明の属する技術分野】
本発明は、雑草などの発芽、成長を抑えるのに優れた防草シートおよびその製造方法に関するものである。
【０００２】
【従来の技術】
従来から、都市や建造物などの周囲の美観を維持するために、各種の除草手段が講じられてきた。例えば、カッターなどで雑草を切除する方法、あるいは除草剤を用いて枯らしてしまう方法などがある。しかしながら、カッターを用いる方法は、切除作業に人件費を要し、また、除草剤を用いる方法は周囲の環境へ悪影響を及ぼすという問題があった。
【０００３】
そこで、高い防草効果を有する防草シートが開発されてきた。防草シートには、遮光性を有して雑草の発芽を抑える機能、耐貫通性を有して残存している芽が地表に出てくるのを阻止する機能、さらに、透水・通気性を有して土壌環境を保持し、かつ、シート上に水溜まりが生じて歩行を妨げることのない機能が求められている。
【０００４】
従来の防草シートには、例えば、以下のようなものがある。即ち、
１）圧接接着により得られた合成繊維長繊維不織布からなり、高い貫通抵抗により耐貫通性を有するもの（例えば、特許文献１参照。）。
２）ニードルパンチ処理による三次元交絡構造を有する長繊維不織布の片面に微多孔構造を設けて透水性を有するようにした樹脂層を積層したものからなり、優れた耐磨耗性を有するもの（例えば、特許文献２参照。）。
３）不織布、織物などからなる補強用シートの少なくとも一方の面に合成樹脂製の遮光性フィルムがラミネートされた積層シートからなり、遮光性を有するものであって、必要に応じて多数の貫通する排水穴を設けたもの（例えば、特許文献３参照。）。
【０００５】
【特許文献１】特公平４−０５２７２７号公報
【特許文献２】特開平９−２４８０７０号公報
【特許文献３】特開平９−０９９９８０号公報
【０００６】
【発明が解決しようとする課題】
しかしながら、上述の防草シートには以下のような問題があった。即ち、
１）第１の防草シートでは、繊維のみで構成されているため、空隙率を適切に設定することにより透水性と遮光性をもたせようとするが、透水性を持たせようとすると、遮光性が低下し、透水性と遮光性とを両立させることが困難である。そこで、透水性を持たせようとする場合には、遮光性が低下するので、例えば上側に砂利を厚く敷くなどして遮光性を確保する必要がある。また、歩行や車両走行などの踏み付けに対する機械的強度も弱い。
２）第２の防草シートでは、長繊維不織布に積層する樹脂層は微多孔構造であるので、十分な機械的強度が得られない。
３）第３の防草シートでは、全体を貫通する排水穴を有するため、耐貫通性が弱く、この穴より雑草が出てくる。
【０００７】
本発明は、上述した問題に鑑みなされたもので、防草性能に優れ、かつ機械的強度に優れるとともに、製造容易な防草シートとその製造方法を提供することを目的とする。
【０００８】
【課題を解決するための手段】
本発明は上記目的を達成するためになされたもので、請求項１記載の発明は、樹脂シートと該樹脂シートに接着された不織布シートからなり、前記不織布シートには、繊維を接着剤を用いないで機械的にからみ合わせて形成された非圧着型不織布を用い、かつ、前記樹脂シートには所望の分布密度で分布した貫通穴が設けられていることを特徴とする防草シートである。
なお、本発明において、樹脂シートに設けられた貫通穴は、樹脂シートのみを貫通するものであって、不織布シートには貫通穴は設けられていない。
【０００９】
また、請求項２記載の発明は、溶融した樹脂素材を成形した固化前の樹脂シートに、繊維を接着剤を用いないで機械的にからみ合わせて形成された非圧着型不織布からなる不織布シートを圧着して両者を接着し、次いで前記接着した樹脂シートに機械的に貫通穴を設けて防草シートとすることを特徴とする防草シートの製造方法である。
【００１０】
請求項１記載の発明によれば、貫通穴が設けられた樹脂シートと、繊維を接着剤を用いないで機械的にからみ合わせて構成された非圧着型不織布を用いた不織布シートとが接着しているため、貫通穴が設けられた樹脂シートで機械的強度を確保し、貫通穴のない不織布シートで耐貫通性を確保することができる。また、樹脂シートに設ける貫通穴の大きさと分布密度を適切に設定し、不織布シートと接着させることにより、透水性と遮光性とを両立させることができる。
【００１１】
また、請求項２記載の発明によれば、溶融した樹脂素材を成形して固化する前の樹脂シートを形成し、次いで、前記固化する前の樹脂シートを非圧着型不織布を用いた不織布シートに圧着して両者を接着するため、樹脂シートの成形加工と、前記樹脂シートと不織布シートとの圧着による両者の接着加工を連続して一工程で行うことができる。その後、接着した樹脂シートを固化した後に、前記樹脂シートに機械的に貫通穴を設ける。したがって、本発明によれば、樹脂シートを形成して不織布シートと接着する工程と、接着した樹脂シートに貫通穴を設ける工程との二工程で容易に防草シートを製造することができる。
【００１２】
なお、接着した樹脂シートを固化した後に、前記樹脂シートに機械的に貫通穴を設ける際に、接着された樹脂シートと不織布シートをともに貫通する貫通穴を針などで機械的に設けても、不織布シートは繊維を接着剤を用いないで機械的にからみ合わせて形成された非圧着型であるため、不織布シートの樹脂シートに接着していない部分は、一旦針などで穴を設けても、針などを抜くと繊維が自身の弾性でもとに戻り、穴が塞がれる。したがって、樹脂シートのみに貫通穴を容易に設けることができ、不織布シートの樹脂シートに接着していない部分には穴は設けられない。
【００１３】
【発明の実施の形態】
以下、図面に基づいて本発明の実施の形態を詳細に説明する。
図１（ａ）、（ｂ）はそれぞれ、本発明にかかる防草シートの一実施形態の平面図および断面図である。
本実施形態の防草シート１は、図１（ｂ）に示すように、繊維を接着剤を用いないで機械的にからみ合わせて形成された非圧着型の不織布シート２に樹脂シート３を接着したのである。この防草シート１は、不織布シート２を下側にして地面４上に敷設される。
上記不織布シート２はポリエステル繊維が接着剤を用いないで機械的にからみ合わせて構成された非圧着型の不織布からなり、その重量は２３０ｇ／ｍ２  である。また、樹脂シート３は０．５ｍｍ厚の塩化ビニルシートに、貫通穴３ａを縦横１０ｍｍピッチで設けたものである。貫通穴３ａは樹脂シート３だけに設けられ、不織布シート２には設けられていない。
【００１４】
本実施形態が従来例と異なる特徴的なことは、樹脂シート３に接着する不織布シート２が繊維を接着剤を用いないで機械的にからみ合わせて形成された非圧着型のものであり、貫通穴３ａが樹脂シート３にのみ設けられ、不織布シート２には設けられていないことである。
【００１５】
本実施形態の防草シート１は、以下の方法で製造する。即ち、
１）先ず、電線被覆材をリサイクルした塩化ビニル素材を溶融し、カレンダーロール成形機でシート状に成形する。
２）次いで、成形した固化する前の樹脂シート３を不織布シート２に圧着して両者を接着する。
３）次いで、接着した樹脂シート３が固化した後に、前記樹脂シート３に貫通穴３ａを開ける。即ち、図２に示すように、接着した樹脂シート３と不織布２をロール５、６間に挿入する。そうして、複数の針７が所望の間隔で外周面上に設けられたロール６を樹脂シート３に押圧して回転させ、針７を次々と樹脂シート３と不織布２に貫通させるとともに、ロール６の回転につれてそれらの針７を引き抜いていく。
この状態で、樹脂シート３には所望の間隔で貫通穴３ａが設けられ、不織布２には針が抜かれた後には、貫通穴は塞がれて、貫通穴は設けられてない。
【００１６】
上述の製造方法では、成形機によるシート状の樹脂の成形加工と、圧着による樹脂シート３と不織布シート２の接着加工は連続して同一工程で行うことができるので、貫通穴３ａをあける工程と合わせて、２工程で防草シートを製造することができ、製造が容易である。
【００１７】
上記防草シート１について以下の実験を行った。即ち、雑草発生地の雑草を除去して整地した後に、防草シート１を敷設し、その上に砂利を２〜３ｃｍの厚さに被せて、除草実験を行った。その結果、１年間経過後に、雑草が防草シート１上に出てくることはなく、良好な防草性能（耐貫通性および遮光性）を示した。また、水溜まりの発生もなく、良好な透水性を示した。さらに、３トン車両を走行させても破損が生ぜず、良好な機械的強度を示した。
【００１８】
なお、上記実施形態では、樹脂シート３の樹脂素材として電線被覆材をリサイクルした塩化ビニルを用いたが、樹脂素材としては、ポリエチレン、ポリプロピレンなどのリサイクル材を用いてもよい。
また、不織布シート２の繊維としては、上記実施形態のポリエステル繊維の他に、ポリプロピレン、ナイロンなどの短繊維および長繊維を用いてもよい。
【００１９】
【発明の効果】
以上説明したように、請求項１記載の発明によれば、防草性能に優れ、かつ機械的強度に優れ、製造容易な防草シートが得られるという優れた効果があり、また、請求項２記載の発明によれば、容易に前記防草シートを製造することができるという優れた効果がある。
【図面の簡単な説明】
【図１】（ａ）、（ｂ）はそれぞれ、本発明にかかる防草シートの一実施形態の平面図および断面図である。
【図２】上記実施形態の貫通穴を設ける工程の説明図である。
【符号の説明】
１                  防草シート
２                  不織布シート
３                  樹脂シート
３ａ                貫通穴
４                  地面
５、６              ロール
７                  針
【図１】
2004166620.tif 000003
【図２】
2004166620.tif 000004